(57)【要約】【課題】橋梁用裏面板の重量をできるだけ増大させずにその強度を高める。【解決手段】橋梁１の桁３又は床版２の下方に取り付けられる橋梁用裏面板２１において、板状部材からなる基板２２と、基板２２の上面側に固定され基板２２の一方向に沿って複数箇所配置されるとともに一方向に交差する方向へ向く長手状の補強部材２４とを備え、補強部材２４は、最も上方に位置する頂部Ａと、頂部Ａよりも下方に位置する固定部Ｂとを備え、補強部材２４と基板２２とを貫通して補強部材２４と基板２２とを固定する固定手段２７は固定部Ｂに突出している構成とした。固定部Ｂは頂部Ａから基板２２側へ凹む凹部２５とすることができ、さらに、凹部２５は一方向に交差する方向に沿って伸びる凹溝とすることができる。【選択図】図１
2019002218.tif 000002
【特許請求の範囲】
【請求項１】
橋梁（１）の桁（３）又は床版（２）の下方に取り付けられる橋梁用裏面板（２１）において、
板状部材からなる基板（２２）と、前記基板（２２）の上面側に固定され前記基板（２２）の一方向に沿って複数箇所配置されるとともに前記一方向に交差する方向へ向く長手状の補強部材（２４）とを備え、
前記補強部材（２４）は、最も上方に位置する頂部（Ａ）と、前記頂部（Ａ）よりも下方に位置する固定部（Ｂ）とを備え、前記補強部材（２４）と前記基板（２２）とを貫通して前記補強部材（２４）と前記基板（２２）とを固定する固定手段（２７）は前記固定部（Ｂ）に突出している橋梁用裏面板。
【請求項２】
前記固定手段（２７）の突出側の先端は、前記頂部（Ａ）の高さ以下に設定されている請求項１に記載の橋梁用裏面板。
【請求項３】
前記固定部（Ｂ）は、前記頂部（Ａ）から前記基板（２２）側へ凹む凹部（２５）であり、前記固定手段（２７）は前記凹部（２５）の底（２５ｂ）に突出している請求項１又は２に記載の橋梁用裏面板。
【請求項４】
前記凹部（２５）は、前記一方向に交差する方向に沿って伸びる凹溝である請求項３に記載の橋梁用裏面板。
【請求項５】
前記補強部材（２４）の外側縁は、前記基板（２２）との間に隙間（ｗ）を介在している請求項３又は４に記載の橋梁用裏面板。
【請求項６】
前記補強部材（２４）は、前記凹部（２５）の外側に配置され前記凹部（２５）から遠ざかる方向へ向かうにつれて前記基板（２２）側へ近づく傾斜部（２６ａ）を備える請求項３から５のいずれか一つに記載の橋梁用裏面板。
【請求項７】
前記傾斜部（２６ａ）は、前記凹部（２５）を挟んで両側に配置されている請求項６に記載の橋梁用裏面板。
【請求項８】
前記凹部（２５）の縁（２５ａ）と前記傾斜部（２６ａ）との間に平坦部（２６ｂ）を備える請求項６又は７に記載の橋梁用裏面板。
【請求項９】
前記基板（２２）は、前記一方向に沿って伸びる山部（２３ａ）又は前記一方向に沿って伸びる谷部（２３ｂ）を有する請求項１から８のいずれか一つに記載の橋梁用裏面板。
【請求項１０】
前記基板（２２）は、前記一方向に沿って伸びる山部（２３ａ）、前記一方向に沿って伸びる谷部（２３ｂ）及び前記山部（２３ａ）と前記谷部（２３ｂ）とを結ぶ側壁部（２３ｃ）とを並列して有するものであり、前記固定手段（２７）は、前記側壁部（２３ｃ）と前記固定部（Ｂ）とを固定している請求項１から９のいずれか一つに記載の橋梁用裏面板。
【請求項１１】
前記基板（２２）は、前記一方向に沿って伸びる山部（２３ａ）と前記一方向に沿って伸びる谷部（２３ｂ）とを並列して有するものであり、前記固定手段（２７）は、前記山部（２３ａ）と前記固定部（Ｂ）とを固定している請求項１から９のいずれか一つに記載の橋梁用裏面板。
【発明の詳細な説明】
【技術分野】
【０００１】
この発明は、高架橋や橋梁等に取り付けられる橋梁用裏面板に関するものである。
【背景技術】
【０００２】
道路や鉄道等における高架橋や橋梁等（以下、総称して橋梁と称する。）において、桁や床版の下を覆うように橋梁用裏面板が取り付けられる場合がある。この裏面板の用途として、例えば、作業者等が利用するための歩行板や、あるいは、桁を隠して美観を向上するための化粧板、音の反射を和らげるための吸音板等、各種のものが挙げられる。  
【０００３】
また、裏面板の用途を歩行板とする場合、例えば、仮設の吊り足場と呼ばれるような、橋梁の点検や補修の際に一時的に取り付けられる設備もあるし、点検や補修の有無にかかわらず常時取り付けられている恒久的な足場としての設備もある（例えば、特許文献１，２参照）。
【先行技術文献】
【特許文献】
【０００４】
【特許文献１】特開平１１−１８１７２６号公報
【特許文献２】特開平１１−２６４１１６号公報
【発明の概要】
【発明が解決しようとする課題】
【０００５】
橋梁用裏面板は、その上から荷重が加わっても破損しないように、ある程度の強度を有している必要がある。特に、裏面板を歩行板として使用する際には、歩行板上に作業者等の荷重が加わるため、より強度の大きいものが求められる。しかし、裏面板の強度を高めることによって、その裏面板の重量が増大することは好ましくない。
【０００６】
そこで、この発明の課題は、橋梁用裏面板の重量をできるだけ増大させずにその強度を高めることである。
【課題を解決するための手段】
【０００７】
上記の課題を解決するために、この発明は、橋梁の桁又は床版の下方に取り付けられる橋梁用裏面板において、板状部材からなる基板と、前記基板の上面側に固定され前記基板の一方向に沿って複数箇所配置されるとともに前記一方向に交差する方向へ向く長手状の補強部材とを備え、前記補強部材は、最も上方に位置する頂部と、前記頂部よりも下方に位置する固定部とを備え、前記補強部材と前記基板とを貫通して前記補強部材と前記基板とを固定する固定手段は前記固定部に突出している構成を採用した。
【０００８】
前記固定手段の突出側の先端は、前記頂部の高さ以下に設定されている構成を採用することができる。
【０００９】
また、前記固定部は、前記頂部から前記基板側へ凹む凹部であり、前記固定手段は前記凹部の底に突出している構成を採用することができる。
【００１０】
ここで、前記凹部は、前記一方向に交差する方向に沿って伸びる凹溝である構成を採用することができる。
【００１１】
前記補強部材の外側縁は、前記基板との間に隙間を介在している構成を採用することができる。
【００１２】
また、前記補強部材は、前記凹部の外側に配置され前記凹部から遠ざかる方向へ向かうにつれて前記基板側へ近づく傾斜部を備える構成を採用することができる。
【００１３】
前記傾斜部は、前記凹部を挟んで両側に配置されている構成を採用することができる。
【００１４】
さらに、前記凹部の縁と前記傾斜部との間に平坦部を備える構成を採用することができる。
【００１５】
これらの各態様において、前記基板は、前記一方向に沿って伸びる山部又は前記一方向に沿って伸びる谷部を有する構成を採用することができる。
【００１６】
これらの各態様において、前記基板は、前記一方向に沿って伸びる山部、前記一方向に沿って伸びる谷部及び前記山部と前記谷部とを結ぶ側壁部とを並列して有するものであり、前記固定手段は、前記側壁部と前記固定部とを固定している構成を採用することができる。
【００１７】
また、これらの各態様において、前記基板は、前記一方向に沿って伸びる山部と前記一方向に沿って伸びる谷部とを並列して有するものであり、前記固定手段は、前記山部と前記固定部とを固定している構成を採用することができる。
【発明の効果】
【００１８】
この発明は、橋梁の桁又は床版の下方に取り付けられる橋梁用裏面板を、板状部材からなる基板と、基板の上面側に一方向に沿って複数箇所配置されるとともに一方向に交差する方向へ向く長手状の補強部材とで構成し、補強部材は、最も上方に位置する頂部と、頂部よりも下方に位置する固定部とを備え、補強部材と基板とを貫通して補強部材と基板とを固定する固定手段が固定部に突出している構成とした。これにより、裏面板の重量をできるだけ増大させずにその強度を高めることができるとともに、それに加え、補強部材と基板とを固定する固定手段の突出を抑えることで、作業者に対する安全性と固定手段の保護効果を高めることができる。
【図面の簡単な説明】
【００１９】
【図１】この発明の一実施形態の橋梁用裏面板の設置状態を示す断面図
【図２】同実施形態の橋梁用裏面板の設置状態を示す要部拡大斜視図
【図３】同実施形態の橋梁用裏面板を示し、（ａ）は平面斜視図、（ｂ）は底面斜視図
【図４】同実施形態の橋梁用裏面板の設置状態を示す要部拡大正面図
【図５】橋梁用裏面板の梁材への固定構造を示す要部拡大斜視図
【図６】同実施形態の橋梁用裏面板を示し、（ａ）は平面図、（ｂ）は正面図、（c)は断面図
【図７】（ａ）は、同実施形態の基板に対する補強部材の取り付け状態を示す断面図、（ｂ）〜（ｄ）は、補強部材の変形例を示す断面図
【図８】他の実施形態を示す斜視図
【発明を実施するための形態】
【００２０】
この発明の一実施形態を図面に基づいて説明する。この実施形態は、高速道路の橋梁１の裏面（下面）を覆う橋梁用裏面板２１を用いた裏面ユニット２０である。なお、この実施形態では、裏面ユニット２０に加えて、橋梁１の側面を覆う橋梁用側面板３１を用いた側面ユニット３０も併用し、全体として、裏面ユニット２０と側面ユニット３０を用いた恒久足場ユニット１０を構成している。
【００２１】
恒久足場ユニット１０では、橋梁１の補修や点検の際に、作業者が橋梁用裏面板２１上を歩行できるように構成されている。また、側面ユニット３０の橋梁用側面板３１は、作業者等の転落防止と、作業者等が外部から見えないようにする遮蔽を目的としている。恒久足場ユニット１０において、裏面ユニット２０は、側面ユニット３０を併用することなく単独で用いることもできる。
【００２２】
図１に示すように、裏面ユニット２０の橋梁用裏面板２１（以下、単に裏面板２１と称する。）は、橋軸方向に隣り合う橋脚４と橋脚４との間において、床版２を支える桁３の下方に各種の支持部材１１を介して取り付けられた梁材１２に固定される。また、側面ユニット３０の橋梁用側面板３１は、桁３の側方に各種の支持部材１３，１４を介して、あるいは必要に応じて鉛直方向の支柱材３２を介して取り付けられる。
【００２３】
この実施形態の梁材１２は、図２に示すように、桁３の橋軸方向に沿って配置される縦梁１２ａと、その縦梁１２ａに固定され橋軸直角方向に配置される横梁１２ｂとが、格子状に配置されて構成されている。
【００２４】
支持部材１１は、図１に示すように、桁３の上フランジ３ａと下フランジ３ｃとを結ぶウェブ３ｂに溶接固定された補剛材１１ａに、連結プレート１１ｂ，１１ｃがボルト等で連結されたものを採用している。この補剛材１１ａ、連結プレート１１ｂ，１１ｃを介して、桁３と梁材１２とが連結されている。支持部材１１としては、この例以外にも種々の構成を採用することができ、例えば、桁３や床版２に接続されたワイヤ等の吊り材を採用してもよい。
【００２５】
梁材１２を構成する縦梁１２ａ及び横梁１２ｂとしては、図２に示すようなＨ形鋼を採用してもよいし、それ以外の断面を持つ鋼材、その他各種の素材からなる部材を採用してもよい。
【００２６】
横梁１２ｂは、橋軸方向に対して、裏面板２１の橋軸方向長さに対応する間隔をあけて配置される。横梁１２ｂは、通常は橋軸直角方向に沿って水平に配置される。縦梁１２ａは、横梁１２ｂを支持するために、橋軸直角方向に対して所定の間隔で配置される。このとき、縦梁１２ａは、通常は橋軸方向に沿って水平に配置されるが、場合によっては、桁３の橋軸方向への勾配に合わせて、桁３の下フランジ３ｃの板面と平行になるように配置される場合もある。
【００２７】
裏面板２１の両端部には、図３及び図４に示すように、取付金具２９が設けられている。取付金具２９は、ボルト２９ａ等によって裏面板２１に固定されている。
【００２８】
横梁１２ｂの下フランジ上に、矩形を成す裏面板２１の両端部がそれぞれ載置され、それぞれの両端部において、図５に示すように、裏面板２１側の取付金具２９が、横梁１２ｂにボルト２９ｂ等を介して接続される。
【００２９】
また、裏面板２１の両端部には、落下防止用ワイヤＷを挿通するための固定金具２８が設けられている。この固定金具２８に設けた孔に、梁材１２に固定された落下防止用ワイヤＷが挿通される（図４参照）。
【００３０】
裏面板２１は、図３及び図５に示すように、板状部材からなる基板２２と、基板２２に固定される補強部材２４とを備える。補強部材２４は、基板２２の上面側に固定され、その基板２２の板面の一方向に沿って複数箇所に並列して配置される。この実施形態では、梁材１２間に掛け渡される裏面板２１の両端部間を結ぶ方向を、基板２２の一方向と定義している。
【００３１】
補強部材２４は、その一方向に交差する方向へ向く長手状の部材で構成される。この実施形態では、特に、補強部材２４の長手方向は、基板２２の一方向に直交する方向としているが、補強部材２４の長手方向と基板２２の一方向との成す角度は、両者が互いに平行でない限り自由に設定できる。
【００３２】
この実施形態では、裏面板２１は長方形状であり、その長方形の長辺方向を補強部材２４が並列する前記一方向としている。すなわち、補強部材２４は、裏面板１２の長辺方向に沿って複数箇所配置されていることとなる。また、裏面板２１は、その長辺方向が橋軸方向を向くように配置されている。
【００３３】
この発明では、裏面板２１のベースを構成する基板２２を板状部材として軽量化を図り、さらに、その板状部材からなる基板２２を、並列する複数の補強部材２４によって補強して全体の剛性を高めている。これにより、裏面板２１の重量をできるだけ増大させずにその強度を高めることを実現している。また、長手状の補強部材２４が基板２２上に一定の間隔で配置されるので、基板２２上を歩行する作業者等は、あたかも梯子上を歩くように補強部材２４上に足を置いて安心して歩行することができる。
【００３４】
基板２２や補強部材２４としては、通常は金属製のものが用いられるが、所定の強度が確保されるものであれば、樹脂や他の素材からなるものを採用することもできる。ただし、これらの素材に所定の防火性能が求められる場合には、その条件に応じた不燃材料等を採用することとなる。
【００３５】
ここで、基板２２は、図３及び図４に示すように、一方向に沿って伸びる山部２３ａと、同じく一方向に沿って伸びる谷部２３ｂとを並列して有する波板状部材となっている。基板２２を波板状とすることにより、その剛性が高められている。このような波板状部材を金属製とする場合、例えば、金属板を折り曲げ加工することにより、基板２２を形成することができる。波板状部材を樹脂製とする場合、例えば、型枠内に未硬化の樹脂を流し込んだ後、その樹脂を硬化させることにより、基板２２を形成することができる。
【００３６】
基板２２の山部２３ａと谷部２３ｂとは、図３に示すように、一方向に直交する方向へ交互に並列し、山部２３ａと谷部２３ｂとの間は、側壁部２３ｃで結ばれている。すなわち、基板２２は、一方向に沿って伸びる山部２３ａと、一方向に沿って伸びる谷部２３ｂと、山部２３ａと谷部２３ｂとを結ぶ側壁部２３ｃとを並列して有している。
【００３７】
また、山部２３ａの上面と谷部２３ｂの底面は、裏面板２１の板面方向に沿うフラット面となっている。側壁部２３ｃは、そのフラット面に対して直交する方向に配置されていてもよいし、図３（ａ）や図６（ｃ）に示すように、フラット面に対して鋭角を成す傾斜方向に配置されていてもよい。
【００３８】
山部２３ａの上面と谷部２３ｂの底面は、必ずしも平坦なフラット面である必要はなく、例えば、湾曲した面であってもよいし、凹凸が介在する面であってもよい。あるいは、山部２３ａを断面逆Ｖ字状としてその頂部を稜線で構成してもよく、また、谷部２３ｂを断面Ｖ字状に構成してもよい。
【００３９】
基板２２の一方向両端部には、板状部材からなる端面部２２ａ，２２ｂがボルト２２ｃによって取り付けられている。基板２２の一方向両端部に端面部２２ａ，２２ｂを固定することにより、裏面板２１全体の剛性が高められている。
【００４０】
さらに、この実施形態では、図３（ａ）に示すように、基板２２の一方向に直交する方向の両端部において、側壁部２３ｃが外部に臨んでいる形態（側方から側壁部２３ｃが見える形態）となっているが、これをさらに改良して、基板２２の一方向に直交する方向の両端部に、端面部２２ａ，２２ｂ間を結ぶように板状又は軸状等の連結部材（図示せず）を固定してもよい。その連結部材と端面部２２ａ，２２ｂとで、矩形の基板２２周囲を囲む枠材を構成することにより、裏面板２１全体の剛性をさらに高めるようにしてもよい。
【００４１】
補強部材２４は、固定手段２７によって基板２２の上面側に固定される。補強部材２４は、基板２２側へ凹む凹部２５を備えており、固定手段２７は、基板２２の山部２３ａと、補強部材２４の凹部２５の底２５ｂとを貫通するボルト、及び、そのボルトにねじ込まれるナットで構成されている。ボルト及びナットの締め付けにより、基板２２の山部２３ａの上面と、補強部材２４の凹部２５の底２５ｂの下面とが当接して、基板２２と補強部材２４とが固定される。
【００４２】
ここで、固定手段２７を構成するボルトは、基板２２の山部２３ａの上面と、補強部材２４の凹部２５の底２５ｂとを貫通するように下方から上方に向かって挿通され、上方へ突出するボルトの先端にナットが締め付けられている。補強部材２４の凹部２５の底２５ｂは、基板２２へ固定される固定部Ｂとなっている。また、その凹部２５の縁２５ａと周辺が、補強部材２４の最も上方に位置する部位である頂部Ａとなっている。
【００４３】
このとき、固定手段２７は、補強部材２４の固定部Ｂを構成する凹部２５の底２５ｂから上方へ立ち上がって突出した状態となっている。すなわち、固定手段２７が奥まった凹部２５内に存在するので、裏面板２１上を作業者等が歩行する際に、作業者等が固定手段２７につまずく事態を防止できる。また、凹部２５を設けたことで、補強部材２４の剛性、強度が高まる効果も期待できる。ここで、固定手段２７の凹部２５の底２５ｂからの突出高さは、補強部材２４の頂部Ａを構成する凹部２５の縁２５ａの高さ以下に設定されていることが望ましい。
【００４４】
さらに、凹部２５の底２５ｂの下面が平坦なフラット面であるので、その凹部２５の底２５ｂの下面と基板２２の山部２３ａの上面とは面接触する。これにより、基板２２と補強部材２４とが、互いに強固に固定される。ただし、凹部２５の底２５ｂの下面は、必ずしも平坦なフラット面である必要はなく、例えば、湾曲した面であってもよいし、凹凸が介在する面等であってもよい。
【００４５】
また、この実施形態では、凹部２５として、基板２２の一方向に交差する方向に沿って伸びる凹溝を採用したので、基板２２の山部２３ａや谷部２３ｂの伸びる方向と、凹部２５を構成する凹溝の伸びる方向とが互いに交差し、裏面板２１全体の剛性がさらに高められている。ここで、凹部２５を構成する凹溝は、直線状であってもよいし、途中で屈曲、湾曲するものであってもよい。この実施形態では、直線状の凹溝の伸びる方向を基板２２の一方向に対して直交させているが、互いの交差角度は自由に設定できる。
【００４６】
また、補強部材２４は、凹部２５の外側において、凹部２５から遠ざかる方向へ向かって下り勾配の傾斜部２６ａを備える。凹部２５の縁２５ａよりも外側に傾斜部２６ａを備えることにより、補強部材２４の上面に生じやすい段部を解消し、裏面板２１上を作業者等が歩行する際に、作業者等が補強部材２４につまずく事態を防止できる。
【００４７】
この実施形態では、凹部２５は凹溝で構成され、傾斜部２６ａは凹溝を挟んで両側に配置されている。このため、基板２２上を一方向に沿っていずれの方向へ移動する作業者等に対しても、上記のつまずき防止の効果が発揮できる。
【００４８】
補強部材２４を金属製とする場合、例えば、金属板を折り曲げ加工することにより形成することができる。また、補強部材２４を樹脂製とする場合、例えば、型枠内に未硬化の樹脂を流し込んだ後、その樹脂を硬化させることにより形成することができる。
【００４９】
また、図７（ａ）に示すように、補強部材２４の外側縁と基板２２の上面との間に隙間ｗを介在しているので、作業者等が補強部材２４を足で踏んだ際に、傾斜部２６ａを構成する部材が隙間ｗを縮小する方向へ弾性変形して、歩行時のショックを吸収することができる。隙間ｗは、作業者等が踏んで弾性変形した際に、傾斜部２６ａの外側縁が基板２２の上面に接触する寸法としてもよいが、作業者等が踏んでも両者が接触しない寸法とすることで、ショックの吸収効果をより高くできる。
【００５０】
また、図７（ａ）に示すように、凹部２５の縁２５ａと傾斜部２６ａとの間に、フラット面からなる平坦部２６ｂを備えているので、作業者等の踏み場所をより広く確保できる。凹部２５や傾斜部２６ａよりもフラットな平坦部２６ｂの方が、作業者等はより踏みやすく感じるからである。なお、この図７（ａ）の例では、補強部材２４の最も上方に位置する部位である頂部Ａは、凹部２５の縁２５ａとそれと同じ高さであるフラットな平坦部２６ｂに相当する。
【００５１】
図７（ｂ）〜（ｄ）に、補強部材２４の変形例を示す。ここでは、凹部２５に隣接する膨出部２６の形態として、前述の傾斜部２６ａや平坦部２６ｂを組み合わせて各種の構成としている。
【００５２】
図７（ｂ）の例は、凹部２５を挟んで一方の側のみに傾斜部２６ａを設けたものである。他方の側には傾斜部２６ａを設けずに平坦部２６ｂのみを設けている。ここで、一方の側における傾斜部２６ａと凹部２５の縁２５ａとの間に、平坦部２６ｂを介在させることもできる。傾斜部２６ａは、凹部２５側から外側に向かって直線状に下る勾配形態となっている。
【００５３】
ここで、補強部材２４の外側縁と基板２２の上面との間に設けられる隙間ｗは、凹部２５を挟んで傾斜部２６ａを設けた一方の側、平坦部２６ｂのみを設けた他方の側の両方に設定されている。ただし、隙間ｗの設定は、補強部材２４の外側縁のうち、凹部２５に対して一部の側のみとしてもよく、例えば、図７（ｂ）の例では、一方の側のみに隙間ｗを設け、他方の側には隙間ｗを設けずに補強部材２４の外側縁を基板２２の上面に当接させてもよい。あるいは、その逆として、他方の側のみに隙間ｗを設け、一方の側には隙間ｗを設けずに補強部材２４の外側縁を基板２２の上面に当接させてもよい。これは、他の実施形態においても同様である。
【００５４】
図７（ｃ）の例は、凹部２５を挟んで両方の側に傾斜部２６ａを設けるとともに、その両方の側において、平坦部２６ｂの設置を省略したものである。ここで、傾斜部２６ａと凹部２５の縁２５ａとの間に配置される平坦部２６ｂを、凹部２５を挟んで一方の側のみ、あるいは、他方の側のみに介在させることもできる。
【００５５】
図７（ｄ）の例は、図７（ｃ）における勾配一定の直線状の傾斜部２６ａに代えて、断面円弧状の傾斜部２６ａを採用している。ここで、傾斜部２６ａは、凹部２５から遠ざかるにつれて徐々に下り勾配がきつくなる形態である。このように、傾斜部２６ａを構成する勾配の形状は自由に設定できる。
【００５６】
上記の実施形態において、基板２２として、一方向に沿って伸びる山部２３ａと一方向に沿って伸びる谷部２３ｂとを交互に並列して備える波板状部材を採用したが、この実施形態には限定されず、板状部材からなる基板２２の形状は、自由に設定できる。例えば、一方向に沿って伸びる山部２３ａのみを有する構成、又は、一方向に沿って伸びる谷部２３ｂのみを有する構成としてもよい。また、一方向以外の方向を向く山部２３ａや谷部２３ｂを有する構成としてもよい。さらに、金属板の折り曲げ加工によって形成された山部２３ａや谷部２３ｂに代えて、金属板に対して金属製のリブや突条等を溶接等により固定したものを採用してもよい。また、所定の強度を有するものであれば、基板２２として、山部２３ａや谷部２３ｂのないフラットな金属板、樹脂板等を採用してもよい。
【００５７】
上記の実施形態では、裏面板２１及び基板２２の平面視形状は長方形状であり、その長方形の長辺方向を補強部材２４が並列する前記一方向としている。すなわち、補強部材２４は、基板２２の長辺方向に沿って複数箇所配置されている。この変形例として、例えば、補強部材２４を、基板２２の短辺方向に沿って複数箇所配置する構成としてもよい。
【００５８】
他の実施形態を図８に示す。この実施形態は、基板２２の構成は、前述の実施形態と同様に、一方向に沿って伸びる山部２３ａ、一方向に沿って伸びる谷部２３ｂ、及び、山部２３ａと谷部２３ｂとを結ぶ側壁部２３ｃとを並列して有するものである。
【００５９】
補強部材２４は、長手状の板状部材で構成され、基板２２の山部２３ａの上面に当接する上面当接部２４ａと、隣り合う山部２３ａ間において上面当接部２４ａ同士を繋ぐ連結部２４ｂを備える。上面当接部２４ａと連結部２４ｂとは連続する板状部材で構成され、互いに同じ高さであるフラット面を有する。このため、上面当接部２４ａと連結部２４ｂとが、補強部材２４の最も高い部位である頂部Ａに相当する。
【００６０】
補強部材２４は、上面当接部２４ａから下方に向かって突出するように設けられた側壁当接部２４ｃを備える。側壁当接部２４ｃは、上面当接部２４ａや連結部２４ｂを構成する板状部材の一部を曲げて構成される。
【００６１】
側壁当接部２４ｃは、頂部Ａよりも下方に位置して谷部２３ｂ側へ入り込んでいるので、補強部材２４の固定部Ｂに相当する。
【００６２】
固定手段２７は、基板２２の側壁部２３ｃと、補強部材２４の側壁当接部２４ｃとを貫通するボルト、及び、そのボルトにねじ込まれるナットで構成されている。ボルト及びナットの締め付けにより、基板２２の側壁部２３ｃと、補強部材２４の側壁当接部２４ｃとが密着して、基板２２と補強部材２４とが固定される。
【００６３】
側壁当接部２４ｃは、上面当接部２４ａを挟んで山部２３ａの両側の側壁部２３ｃに当接している。また、側壁当接部２４ｃは、連結部２４ｂを挟んで一方向両側に設けられている。固定手段２７は、複数の側壁当接部２４ｃのうち、必要な箇所にのみ設ければよい。
【００６４】
図８の実施形態では、補強部材２４の長手方向端部に、上面当接部２４ａから下方に向かって突出するように設けられた端部側壁当接部２４ｄを備える。ここでは、端部側壁当接部２４ｄには固定手段２７を設けていないが、基板２２の側壁部２３ｃと補強部材２４の端部側壁当接部２４ｄとの間に、両者を貫通するボルト、ナット等からなる固定手段２７を設けてもよい。
【００６５】
ここで、固定手段２７を構成するボルトは、基板２２の側壁部２３ｃと補強部材２４の固定部Ｂ（側壁当接部２４ｃや端部側壁当接部２４ｄ等）とを貫通するように裏面側から挿通され、谷部２３ｂ内へ突出するボルトの先端にナットが締め付けられている。固定手段２７が奥まった谷部２３ｂ内に存在し、この位置はフラットな頂部Ａよりも下方に位置するので、裏面板２１上を作業者等が歩行する際に、作業者等が固定手段２７につまずく事態を防止できる。また、板状部材を曲げて形成した折込片形状の固定部Ｂを設けたことで、補強部材２４の剛性、強度が高まる効果も期待できる。
【００６６】
ここで、固定手段２７を構成するボルトの突出側の先端は、補強部材２４の頂部Ａの高さ以下に設定されていることが望ましい。
【００６７】
上記の各実施形態では、裏面板２１は、その長辺方向が橋軸方向を向くように配置されているが、変形例として、例えば、裏面板２１は、その長辺方向が橋軸直角方向を向くようにしてもよい。このように裏面板２１の設置方向は自由に設定できる。
【００６８】
この実施形態では、裏面板２１を用いた裏面ユニット２０に加えて、橋梁の側面を覆う橋梁用側面板３１を用いた側面ユニット３０も併用し、全体として恒久足場ユニット１０を構成したが、裏面板２１を用いた裏面ユニット２０の用途は、このような恒久足場に限定されない。例えば、橋梁１の桁３又は床版２の下方に設けられる一時的な仮設足場や美観用の化粧板、その他、吸音板や遮音板等においても、この発明を適用できる。
【００６９】
上記の実施形態では、桁３の構造として鋼製の箱桁を例にこの発明の構成を説明したが、桁３の構造は任意である。例えば、桁３を鋼Ｉ桁やその他各種構造の鋼桁とすることができる。また、鋼桁以外にも、コンクリート桁等を採用することもできる。さらには、ラーメン構造の高架橋において、コンクリート製の床版２の下方に取り付けられる橋梁用裏面板２１に、この発明を適用することも可能である。
【符号の説明】
【００７０】
１  橋梁
２  床版
３  桁
４  橋脚
１０  恒久足場ユニット
１１，１３，１４  支持部材
１２  梁材
１２ａ  縦梁
１２ｂ  横梁
２０  裏面ユニット
２１  裏面板（橋梁用裏面板）
２２  基板
２２ａ，２２ｂ  端面部
２３ａ  山部
２３ｂ  谷部
２３ｃ  側壁部
２４  補強部材
２４ａ  上面当接部
２４ｂ  連結部
２４ｃ  側壁当接部
２４ｄ  端部側壁当接部
２５  凹部（凹溝）
２５ａ  縁
２５ｂ  底
２６  膨出部
２６ａ  傾斜部
２６ｂ  平坦部
２７  固定手段
２８  固定金具
２９  取付金具
３０  側面ユニット
３１  側面板（橋梁用側面板）
３２  支柱材
Ａ  頂部
Ｂ  固定部
【図１】
2019002218.tif 000003
【図２】
2019002218.tif 000004
【図３】
2019002218.tif 000005
【図４】
2019002218.tif 000006
【図５】
2019002218.tif 000007
【図６】
2019002218.tif 000008
【図７】
2019002218.tif 000009
【図８】
2019002218.tif 000010